(57)【要約】【課題】出入口幅を分担して一方向へ開閉する第一引き戸及び第二引き戸の吊りローラを一つのレール体により案内するエレベーターのドアー装置を得る。【解決手段】出入口２幅のを分担して一方向へ開閉する横断面Ｌ字状の第一引き戸４を設け、第二引き戸５を第一引き戸４の表板裏面に対面して配置する。そして、横断面溝形の案内レール１５の溝形底面を出入口２上縁に鉛直に装着して溝形下側の第一案内部１６により第一引き戸４の吊りローラ１７を案内し、溝形上側の第二案内部１８により第二引き戸５の吊りローラ１９を案内する。これによって、吊りローラ１７，１９に対して一本の案内レール１５で対応でき製作費、取付作業費を低減する。また、案内レール１５の取付所要スペースが減少するので、出入口２の上縁部における設計の自由度を向上する。【選択図】        図１
2004315107.tif 000002
【特許請求の範囲】
【請求項１】
出入口幅の一部を開閉し表板の戸袋側の縁部が屈折されて横断面Ｌ字状をなす第一引き戸と、この第一引き戸と同方向に動作して上記出入口幅の他部を開閉し、戸開時に表板が上記第一引き戸の表板の裏面に対面して配置される第二引き戸と、一体からなり上記出入口の上縁部に装着され長手が上記出入口幅方向に水平に配置され、上記第一引き戸の吊りローラが掛合される第一案内部及び上記第二引き戸の吊りローラが掛合された第二案内部とが形成される案内レールとを備えたエレベーターのドアー装置。
【請求項２】
案内レールを、横断面溝形をなしこの溝形の底面が出入口の上縁部に鉛直に装着され、第一案内部が上記溝形側面の下側に形成され、また第二案内部が上記溝形側面の上側に形成されたものとしたことを特徴とする請求項１記載のエレベーターのドアー装置。
【請求項３】
出入口幅の一部を開閉し表板の戸袋側の縁部が屈折されて横断面Ｌ字状をなす第一引き戸と、この第一引き戸と同方向に動作して上記出入口幅の他部を開閉し、戸開時に表板が上記第一引き戸の表板の裏面に対面して配置される第二引き戸と、上記出入口の下縁部に水平に設けられ、上方に開口して形成され長手が上記出入口幅方向に配置された案内溝を有する敷居と、上記案内溝の側壁の一方に開口して形成され奥側が上記開口幅よりも幅広に形成され、上記奥側によって上部が上記第一引き戸に装着された第一取付板の下部に設けた第一案内子を案内する第一案内溝部と、上記案内溝の側壁の他方に開口して形成され奥側が上記開口幅よりも幅広に形成され、上記奥側によって上部が上記第二引き戸に装着された第二取付板の下部に設けた第二案内子を案内する第二案内溝部とを備えたエレベーターのドアー装置。
【請求項４】
出入口幅の一部を開閉し表板の戸袋側の縁部が屈折されて横断面Ｌ字状をなす第一引き戸と、この第一引き戸と同方向に動作して上記出入口幅の他部を開閉し、戸開時に表板が上記第一引き戸の表板の裏面に対面して配置される第二引き戸と、上記出入口の下縁部に設けられて長手が上記出入口幅方向に水平に配置された敷居と、この敷居に設けられて上面に開口し長手が上記出入口幅方向に配置されて上記第一引き戸の下端に装着された第一戸の脚の第一案内子を案内する第一案内溝部と、上記敷居の前面に開口して設けられ長手が上記出入口幅方向に配置されて奥側が上記開口幅よりも幅広に形成され、上記奥側によって上部が上記第二引き戸に装着された第二取付板の下部に設けた第二案内子を案内する第二案内溝部とを備えたエレベーターのドアー装置。
【請求項５】
出入口幅の一部を開閉し表板の戸袋側の縁部が屈折されて横断面Ｌ字状をなす第一引き戸と、この第一引き戸と同方向に動作して上記出入口幅の他部を開閉し、戸開時に表板が上記第一引き戸の表板の裏面に対面して配置される第二引き戸と、上記出入口の下縁部に設けられて長手が上記出入口幅方向に水平に配置された敷居と、この敷居の前面に開口して設けられて長手が上記出入口幅方向に配置され、奥側が上記開口幅よりも幅広に形成されて上記奥側によって上部が上記第一引き戸に装着された第一取付板の下部に設けた第一案内子を案内する第一案内溝部と、上記敷居の前面に開口して設けられ上記第一案内溝部の下側に上記第一案内溝部と平行に設けられて奥側が上記開口幅よりも幅広に形成され、上記奥側によって上部が上記第二引き戸に装着された第二取付板の下部に設けた第二案内子を案内する第二案内溝部とを備えたエレベーターのドアー装置。
【発明の詳細な説明】
【０００１】
【発明の属する技術分野】
この発明は、二枚の引き戸によって出入口を閉塞し、二枚の引き戸が同側へ動作して出入口を戸開するエレベーターのドアー装置に関する。
【０００２】
【従来の技術】
従来のエレベーターのドアー装置において、表板の出入口における戸袋側の縁部が屈折されて横断面Ｌ字状をなす第一引き戸が、エレベーターの出入口幅の一部を閉塞して戸開時に戸袋方向へ戸開動作する。また、戸開時に表板が第一引き戸の表板の裏面に対面して配置される第二引き戸が、エレベーターの出入口幅の他部を閉塞し、第一引き戸と同側へ戸開動作する。
【０００３】
また、出入口の上縁部には第一引き戸の吊りローラが掛合された第一案内レール及び第二引き戸の吊りローラが掛合された第二案内レールが設けられる。さらに、出入口の敷居、すなわち出入口の下縁部には第一引き戸の戸の脚が移動自在に嵌合された第一案内溝及び第二引き戸の戸の脚が移動自在に嵌合された第二案内溝が第一案内溝と平行に設けられる。
【０００４】
従来のエレベーターのドアー装置は上記のように構成され、出入口が第一引き戸及び第二引き戸の両者によって閉塞され、また上記両者が戸袋側、すなわち同側へ動作して出入口を戸開するようになっている。（例えば、非特許文献１参照）。
【０００５】
【非特許文献１】
発明協会公開技報  公技番号９４−１４７４２  発行日１９９４．８．１
【０００６】
【発明が解決しようとする課題】
従来のエレベーターのドアー装置では、表板の戸袋側の縁部が屈折されて横断面Ｌ字状をなす第一引き戸が設けられて、第二引き戸が第一引き戸のＬ字形凹所に配置される。これによって、水平投影面において第一引き戸及び第二引き戸の両者における厚さ方向の所要スペースが減少し、出入口が設けられたエレベーターのかご、乗場のスペース効率を向上するように構成されている。
【０００７】
しかし、上記両者のそれぞれに対して吊りローラの案内レール及び戸の脚の案内溝が設けられるため製作費が嵩むという問題点があった。また、敷居に二本の案内溝が開口することによって、出入口を通るエレベーターの乗客の歩行が妨げられ、特に案内溝にハイヒールの踵が嵌入し易くなって歩行が妨げられるという問題点があった。さらに、二本の案内溝のために案内溝に異物が入り易くなって引き戸の動作障害の発生頻度が増すという問題点があった。
【０００８】
この発明は、かかる問題点を解消するためになされたものであり、第一引き戸及び第二引き戸の吊りローラが一つのレール体によって案内されるエレベーターのドアー装置を得ることを第一の目的とする。
また、出入口下縁部に設けられて上方に開口し引き戸の戸の脚の移動を案内する案内溝が少ないエレベーターのドアー装置を得ることを第二の目的とする。
【０００９】
【課題を解決するための手段】
この発明に係るエレベーターのドアー装置においては、出入口幅の一部を開閉し表板の戸袋側の縁部が屈折されて横断面Ｌ字状をなす第一引き戸と、この第一引き戸と同方向に動作して出入口幅の他部を開閉し、戸開時に表板が第一引き戸の表板の裏面に対面して配置される第二引き戸と、一体からなり出入口の上縁部に装着され長手が出入口幅方向に水平に配置され、第一引き戸の吊りローラが掛合される第一案内部及び第二引き戸の吊りローラが掛合される第二案内部とが形成された案内レールとが設けられる。
【００１０】
また、この発明に係るエレベーターのドアー装置においては、出入口の敷居、すなわち出入口下縁部に設けられて上方に開口し第一引き戸及び第二引き戸の両者それぞれの戸の脚の少なくとも一方が移動自在に係合された一本の案内溝又は出入口下縁部に設けられて出入口の前面側に開口し上記両者それぞれの戸の脚の少なくとも一方に対応して設けられて対応した戸の脚が移動自在に係合された案内溝が設けられる。
【００１１】
【発明の実施の形態】
実施の形態１．
図１〜図５は、この発明の実施の形態の一例を示す図で、図１はエレベーターかごの正面図、図２は図１の要部縦断側面図、図３は図２の案内レール箇所の拡大図、図４は図１の横断平面図、図５は図２の出入口下縁部箇所の拡大図である。図において、エレベーターかご１に出入口２が設けられて出入口２の一側に戸袋３が形成される。
【００１２】
そして、出入口２の出入口幅における戸袋３寄りの半分、すなわち出入口幅の一部を開閉する第一引き戸４が設けられて、第一引き戸４の表板の戸袋３側の縁部が屈折されて横断面Ｌ字状に構成される。また、出入口２の出入口幅における戸当たり部寄りの半分、すなわち出入口幅の他部を開閉する第二引き戸５が設けられ、第二引き戸５は戸開時に表板が第一引き戸４の表板の裏面に対面して配置される。
【００１３】
また、第二引き戸５の戸袋３側の端部に、第一引き戸４の表板における戸当たり部側の裏面に掛合する突子６が設けられている。なお、第二引き戸５にはかご１が乗場に停止したときに、図示が省略してあるが乗場の戸に設けられた係合板に係合する係合装置７が設けられている。そして、かご１に出入口２の上縁部を形成する桁８が設けられて、出入口２の戸当たり部側に駆動車９を有する駆動機１０が装着され、また戸袋３側に從動車１１が枢着される。
【００１４】
そして、駆動車９及び從動車１１に無端状をなす伝動条体１２が巻掛けられる。また、下端が第二引き戸５に装着された連結体１３の上端に伝動条体１２の一側が連結される。また、引っ張りコイルばねからなる戸開付勢体１４の一端が桁８の戸袋３側の端部に連結され、他端は第一引き戸４に連結されて第一引き戸４を戸開方向に付勢する。
【００１５】
また、桁８に、すなわち出入口２の上縁部に横断面溝形をなす一本の案内レール１５が装着されて長手が水平に配置され、溝形の底面が鉛直に配置される。そして、案内レール１５の溝形側面の下側に第一案内部１６が形成されて、第一引き戸４の吊りローラ１７が掛合される。また、案内レール１５の溝形側面の上側に第二案内部１８が形成され、第二引き戸５の吊りローラ１９が掛合される。
【００１６】
そして、出入口２の敷居２０に、すなわち出入口の下縁部に案内溝２１が設けられて上方に開口し長手が出入口２幅方向に水平に配置される。また、案内溝２１におけるかご１の奥側寄りの側面に開口し、奥側が開口幅よりも幅広に形成された第一案内溝部２２が設けられる。さらに、案内溝２１における第一案内溝部２２に対向した側面に開口し、奥側が開口幅よりも幅広に形成された第二案内溝部２３が設けられる。
【００１７】
また、上部が第一引き戸４の下端に装着された第一取付板２４及び第一取付板２４の下部に設けられて第一案内溝部２２に移動自在に嵌合された第一案内子２５からなる第一戸の脚２６が設けられる。そして、上部が第二引き戸５の下端に装着された第二取付板２７及び第二取付板２７の下部に設けられて第二案内溝部２３に移動自在に嵌合された第二案内子２８からなる第二戸の脚２９が設けられる。
【００１８】
上記のように構成されたエレベーターのドアー装置において、第一引き戸４は案内レール１５の第一案内部１６に吊りローラ１７が案内され、案内溝２１の第一案内溝部２２に第一戸の脚２６が案内される。また、第一引き戸４は戸開付勢体１４によって戸開方向に付勢されて、戸当たり側の端部が第二引き戸５の突子６に掛合して第二引き戸５に掛止され、第二引き戸５の位置に対応した位置に保持される。
【００１９】
また、第二引き戸５は案内レール１５の第二案内部１８に吊りローラ１９が案内され、案内溝２１の第二案内溝部２３に第二戸の脚２９が案内される。そして、第二引き戸５は連結体１３を介して伝動条体１２に連結されているので、駆動機１０が付勢されると駆動車９、伝動条体１２を介して開閉動作する。なお、前述の乗場の戸は、それの係合板（図示しない）に係合装置７が係合して第二引き戸５と一緒に開閉動作する。
【００２０】
そして、第一引き戸４が表板の戸袋側の縁部を屈折して横断面Ｌ字状に形成され、第二引き戸５が第一引き戸４のＬ字形凹所に配置されて、水平投影面において第一引き戸４及び第二引き戸５の両者における厚さ方向の所要スペースが減少し、出入口２が設けられたエレベーターのかご、乗場におけるスペース効率を向上することができる。
【００２１】
また、上記両者それぞれの吊りローラ１７，１９が、一本の案内レール１５に形成された第一案内部１６、第二案内部１８によって案内される。このため、案内レール１５の製作費を低減することができる。また、案内レール１５の取付作業が容易にできるので取付作業費を節減できる。しかも、案内レール１５の横断面方向に関わる鉛直投影面における取付所要スペースが減少するので、出入口２の上縁部における設計の自由度を向上することができる。
【００２２】
そして、出入口２下縁部、すなわち敷居２０に設けられて上方に開口した一本の案内溝２１に、第一引き戸４の第一戸の脚２６及び第二引き戸５の第二戸の脚２９が挿入される。これによって、出入口２下縁部に上方に開口した案内溝２１が一本のみとなるので、出入口２を通るエレベーターの乗客の歩行が妨げられ、特に案内溝にハイヒールの踵が嵌入し易くなって歩行が妨げられる不具合を緩和することができる。
【００２３】
さらに、案内溝２１に異物が入る確率が低下して引き戸の動作障害の発生頻度を減少することができる。なお、図１〜図５のエレベーターのドアー装置の構成を容易に乗場の戸に適用することができ、詳細な説明を省略するが乗場の戸においても図１〜図５の実施の形態と同様な作用を得ることができる。
【００２４】
実施の形態２．
図６は、この発明の他の実施の形態の一例を示す図で、前述の図５相当図である。なお、図６の他は前述の図１〜図５と同様にエレベーターのドアー装置が構成される。図において、図５と同符号は相当部分を示し、出入口２の敷居３０に、すなわち出入口の下縁部における上面に、上方に開口した案内溝からなる第一案内溝部３１が設けられて上方に開口し長手が出入口２幅方向に水平に配置される。また、敷居３０の前面に開口し、奥側が開口幅よりも幅広に形成された第二案内溝部３２が設けられる。
【００２５】
また、上部が第一引き戸４の下端に装着された第一取付板２４及び第一取付板２４の下部に設けられて第一案内溝部３１に移動自在に嵌合された第一案内子２５からなる第一戸の脚２６が設けられる。そして、上部が第二引き戸５の下端に装着された第二取付板２７及び第二取付板２７の下部に設けられて第二案内溝部３２に移動自在に嵌合された第二案内子２８からなる第二戸の脚２９が設けられる。
【００２６】
上記のように構成されたエレベーターのドアー装置においても、第一引き戸４は案内レール１５の第一案内部１６に吊りローラ１７が案内され、第一案内溝部３１に第一戸の脚２６が案内される。また、第一引き戸４は戸開付勢体１４によって戸開方向に付勢され、戸当たり側の端部が第二引き戸５の突子６に掛合して第二引き戸５に掛止され、第二引き戸５の位置に対応した位置に保持される。
【００２７】
また、第二引き戸５は案内レール１５の第二案内部１８に吊りローラ１９が案内され、第二案内溝部３２に第二戸の脚２９が案内される。したがって、詳細な説明を省略するが図６の実施の形態においても図１〜図５の実施の形態と同様な作用が得られる。
【００２８】
実施の形態３．
図７は、この発明の他の実施の形態の一例を示す図で、前述の図５相当図である。なお、図７の他は前述の図１〜図５と同様にエレベーターのドアー装置が構成される。図において、図５と同符号は相当部分を示し、出入口２の敷居３３に、すなわち出入口の下縁部における前面に開口して、長手が出入口２幅方向に水平に配置されて奥側が開口幅よりも幅広に形成された第一案内溝部３４が設けられる。
【００２９】
また、出入口の下縁部における正面に開口して、長手が出入口２幅方向に水平に設けられて第一案内溝部３４の下側に第一案内溝部３４に対して平行に配置され、奥側が開口幅よりも幅広に形成された第二案内溝部３５が設けられる。また、上部が第一引き戸４の下端に装着された第一取付板２４及び第一取付板２４の下部に設けられて、第一案内溝部３４に移動自在に嵌合された第一案内子２５からなる第一戸の脚２６が設けられる。
【００３０】
そして、上部が第二引き戸５の下端に装着された第二取付板２７及び第二取付板２７の下部に設けられて第二案内溝部３５に移動自在に嵌合された第二案内子２８からなる第二戸の脚２９が設けられる。
【００３１】
上記のように構成されたエレベーターのドアー装置においても、第一引き戸４は案内レール１５の第一案内部１６に吊りローラ１７が案内され、第一案内溝部３４に第一戸の脚２６が案内される。また、第一引き戸４は戸開付勢体１４によって戸開方向に付勢され、戸当たり側の端部が第二引き戸５の突子６に掛合して第二引き戸５に掛止され、第二引き戸５の位置に対応した位置に保持される。
【００３２】
また、第二引き戸５は案内レール１５の第二案内部１８に吊りローラ１９が案内され、第二案内溝部３５に第二戸の脚２９が案内される。したがって、詳細な説明を省略するが図７の実施の形態においても図１〜図５の実施の形態と同様な作用が得られる。
【００３３】
【発明の効果】
この発明は以上説明したように、出入口幅の一部を開閉し表板の戸袋側の縁部が屈折されて横断面Ｌ字状をなす第一引き戸と、この第一引き戸と同方向に動作して出入口幅の他部を開閉し、戸開時に表板が第一引き戸の表板の裏面に対面して配置される第二引き戸と、一体からなり出入口の上縁部に装着され長手が出入口幅方向に水平に配置され、第一引き戸の吊りローラが掛合される第一案内部及び第二引き戸の吊りローラが掛合される第二案内部とが形成された案内レールとを設けたものである。
【００３４】
これによって、第一引き戸は一本の案内レールの第一案内部に吊りローラが案内され、また第二引き戸は一本の案内レールの第二案内部に吊りローラが案内される。このため、案内レールの製作費を低減する効果がある。また、案内レールの取付作業が容易にできるので取付作業費を節減する効果がある。さらに、案内レールの横断面方向に関わる鉛直投影面における取付所要スペースが減少するので、出入口の上縁部における設計の自由度を向上する効果がある。
【図面の簡単な説明】
【図１】この発明の実施の形態１を示す図であり、エレベーターかごの正面図。
【図２】図１の要部縦断側面図。
【図３】図２の案内レール箇所の拡大図。
【図４】図１の横断平面図。
【図５】図２の出入口下縁部箇所の拡大図。
【図６】この発明の実施の形態２を示す図で、前述の図５相当図。
【図７】この発明の実施の形態３を示す図で、前述の図５相当図。
【符号の説明】
２  出入口、３  戸袋、４  第一引き戸、５  第二引き戸、１５  案内レール、１６  第一案内部、１７  吊りローラ、１８  第二案内部、１９  吊りローラ、２０  敷居、２１  案内溝、２２  第一案内溝部、２３  第二案内溝部、２４第一取付板、２５  第一案内子、２６  第一戸の脚、２７  第二取付板、２８第二案内子、２９  第二戸の脚、３０  敷居、３１  第一案内溝部、３２  第二案内溝部、３３  敷居、３４  第一案内溝部、３５  第二案内溝部。
【図１】
2004315107.tif 000003
【図２】
2004315107.tif 000004
【図３】
2004315107.tif 000005
【図４】
2004315107.tif 000006
【図５】
2004315107.tif 000007
【図６】
2004315107.tif 000008
【図７】
2004315107.tif 000009